(57)【特許請求の範囲】
【請求項１】
足場の内外を隔てる位置に起立する支柱と、笠木と、載置部と、ガラスパネル部とを備えており、
支柱は、その外側見付面の中間位置にガラスパネル部を固定するブラケットを有しており、笠木は、支柱の上端部に取り付けられるものであり、外側端部の下部には、ガラスパネル部の上枠を受け入れる上枠受入空間部を有しており、載置部は、支柱の外側見付面の下部に取り付けられるものであり、外側端部の上部には、ガラスパネル部の下枠を受け入れる下枠受入空間部を有しており、
ガラスパネル部は、ガラス板と、ガラス板の四周を囲む上枠と下枠と竪枠とを有しており、上枠と下枠は、ガラス板の上側端面または下側端面から内側面に回り込んで、ガラス板の上側または下側端部内側のコーナー部を囲む見付片と見込片とからなるほぼＬ字状をなし、見付片とガラス板の内側面との間に弾性を有する構造シール部を介在して取り付けてあると共に、見込片は、ガラス板の外側面とほぼ面一となるように配設してあることを特徴とする手摺。
【請求項２】
足場の内外を隔てる位置に起立する支柱と、笠木と、載置部と、ガラスパネル部とを備えており、
支柱は、その外側見付面の中間位置にガラスパネル部を固定するブラケットを有しており、笠木は、支柱の上端部に取り付けられるものであり、外側端部の下部には、ガラスパネル部の上枠を受け入れる上枠受入空間部を有しており、載置部は、支柱の外側見付面の下部に取り付けられるものであり、外側端部の上部には、ガラスパネル部の下枠を受け入れる下枠受入空間部を有しており、
ガラスパネル部は、ガラス板と、ガラス板の四周を囲む上枠と下枠と竪枠とを有しており、上枠と下枠と竪枠は、それぞれがガラス板の外周側端面から内側面に回り込んで、ガラス板の外周側端部内側のコーナー部を囲む見付片と見込片とからなるほぼＬ字状をなし、それぞれの見付片とガラス板の内側面との間に弾性を有する構造シール部を介在して取り付けてあると共に、それぞれの見込片は、ガラス板の外側面とほぼ面一となるように配設してあることを特徴とする手摺。
【発明の詳細な説明】
【技術分野】
【０００１】
本発明は、階段やベランダ、フェンス、スロープ、廊下等に取り付ける手摺に関するものであり、特に支柱間にガラスパネル部を取り付ける態様の手摺に関するものである。
【背景技術】
【０００２】
バルコニー手摺は、居住者の安全を守る構造であることが第一であるが、それに加えて外観の見栄えを向上させる要素も求められている。そこで、バルコニーや階段手摺の柵としてガラスパネル部を採用するものがあり、このような手摺は、現場で施工するものの他、ガラス板の四周を枠組してＦｉＸ窓のように形成されたガラスパネル部を現場に搬送し、支柱に固定したブラケットや支持金具等を介して支柱間に取り付けるものもあった。
【先行技術文献】
【特許文献】
【０００３】
【特許文献１】特開２００６−０３７５８９号公報
【発明の概要】
【発明が解決しようとする課題】
【０００４】
上述した組み立て済みのガラスパネル部を支柱に固定するタイプの手摺は、一般的な目隠し用の桟を並べたものと比べて、耐風圧性能が要求されることから、支柱や笠木、下枠からガラスパネル部を支持するブラケットや金具等を多く使用したり、大型化せざるを得ず、これらのガラスパネル部を支持するブラケットや支持金具等がガラス板を通して屋外から見えてしまう問題点があった。特に、ガラス板と笠木と下枠との間に隙間があると、建物全体の外観の体裁が損なわれてしまう。
本発明は以上に述べた実情に鑑み、耐風圧性能が高くて外観の体裁もよく、しかも、施工手間がかからずに、安全且つ低コストで工期短縮も図れるガラス手摺を提供することにある。
【課題を解決するための手段】
【０００５】
本発明のうち請求項１記載の発明は、足場の内外を隔てる位置に起立する支柱と、笠木と、載置部と、ガラスパネル部とを備えており、支柱は、その外側面の中間位置にガラスパネル部を固定するブラケットを有しており、笠木は、支柱の上端部に取り付けられるものであり、外側端部の下部には、ガラスパネル部の上枠を受け入れる上枠受入空間部を有しており、載置部は、支柱の外側見付面の下部に取り付けられるものであり、外側端部の上部には、ガラスパネル部の下枠を受け入れる下枠受入空間部を有しており、ガラスパネル部は、ガラス板と、ガラス板の四周を囲む上枠と下枠と竪枠とを有しており、上枠と下枠は、ガラス板の上側端面または下側端面から内側面に回り込んで、ガラス板の上側または下側端部内側のコーナー部を囲む見付片と見込片とからなるほぼＬ字状をなし、見付片とガラス板の内側面との間に弾性を有する構造シール部を介在して取り付けてあると共に、見込片は、ガラス板の外側面とほぼ面一となるように配設してあることを特徴とする。
【０００６】
本発明のうち請求項２記載の発明は、足場の内外を隔てる位置に起立する支柱と、笠木と、載置部と、ガラスパネル部とを備えており、支柱は、その外側面の中間位置にガラスパネル部を固定するブラケットを有しており、笠木は、支柱の上端部に取り付けられるものであり、外側端部の下部には、ガラスパネル部の上枠を受け入れる上枠受入空間部を有しており、載置部は、支柱の外側見付面の下部に取り付けられるものであり、外側端部の上部には、ガラスパネル部の下枠を受け入れる下枠受入空間部を有しており、ガラスパネル部は、ガラス板と、ガラス板の四周を囲む上枠と下枠と竪枠とを有しており、上枠と下枠と竪枠は、それぞれがガラス板の外周側端面から内側面に回り込んで、ガラス板の外周側端部内側のコーナー部を囲む見付片と見込片とからなるほぼＬ字状をなし、それぞれの見付片とガラス板の内側面との間に弾性を有する構造シール部を介在して取り付けてあると共に、それぞれの見込片は、ガラス板の外側面とほぼ面一となるように配設してあることを特徴とする。
【発明の効果】
【０００７】
本発明のうち請求項１記載の発明によれば、笠木と載置部は、外側見付面が開放した上枠受入空間部と下枠受入空間部を有しており、さらに、ガラスパネル部の上枠と下枠が見付片と見込片とからなることで、屋外側から眺めたときに、ガラス板が外側見付面のほぼ一面に露出した状態となって建物外観の体裁がよくなる。しかも、ガラスパネル部が載置部の下枠受入空間部に入って下支えされると共に、笠木の上枠受入空間部に入って位置決めされることから、ガラスパネル部を載置部に落とし込めば、あとはガラスパネルをブラケットにネジ止め固定するだけで、ほぼ手摺の施工が完了するため、施工手間がかからず工期短縮が図れ、しかも、高所作業者などの設備や高所作業を要さないので安全且つ低コストで提供できる。
【０００８】
本発明のうち請求項２記載の発明によれば、ガラス板の四周端部のすべての外側見付面を遮るものがほぼなくなり、したがって、外側見付面が上下左右に連続した外観意匠を呈することになる。また、ガラス板を上下枠と竪枠により、四周すべてを構造シール部で支持してあることから、耐風圧性能が高く、しかも、耐風圧許容面積がガラス板を四辺支持するものとして計算できるため、ガラス板のコスト抑制を図ることができる。
【図面の簡単な説明】
【０００９】
【図１】図３（ａ）中Ａ−Ａ線を縦断面して示す本実施による手摺である。
【図２】（ａ）は、図３（ａ）中Ｂ−Ｂ線を横断面して示す本実施による手摺であり、（ｂ）は、（ａ）中Ｃを拡大して示す横断面図である。
【図３】（ａ）は、本実施による手摺の全体を示す正面図であり、（ｂ）は、（ａ）の一部を拡大し、ガラス板の支持構造を示す正面図である。
【図４】（ａ）〜（ｅ）は、本実施による手摺の施工手順を示す簡略化した側面図である。
【図５】本発明の他の実施形態を示す正面図であり、（ａ）は全体図、（ｂ）は、拡大図である。
【発明を実施するための形態】
【００１０】
以下、本発明の手摺をバルコニー用としたときの実施形態を図面に基づいて説明する。
本実施による手摺は、図１と図３（ａ）（ｂ）のように、バルコニーの足場Ｇに取り付けるものであり、支柱１と笠木２と載置部３とガラスパネル部４とからなっている。
【００１１】
支柱１は、バルコニーの足場Ｇから垂直に起立するものであり、断面ほぼ矩形状をなす中空押出形材からなっている。また、支柱１の内周側面には、図１と図２（ａ）（ｂ）のように、タッピングホール５が複数箇所に設けてあり、このタッピングホール５には、笠木２やガラスパネル部４の上枠を係止するための目板６を固定するネジがネジ止めされる。また、目板６は、支柱１，１間に連続する長尺な押出形材であり、外側端部には上枠１８を係止する被係止部７が設けてある。さらに、支柱１の外側見付面１ａには、図２（ｂ）のように、支柱側ブラケット８ａと、その支柱側ブラケット８ａにネジ止め固定されるパネル支持ブラケット８ｂとがネジで固定され、支柱側ブラケット８ａとパネル支持ブラケット８ｂは、支柱１に沿って上下に長く形成してある。そして、支柱側ブラケット８ａは、支柱１の外側見付面１ａにネジで固定する支柱固定片９と、その支柱固定片９から外側に突出する突出片１０とから断面ほぼＴ字状をなすものであり、突出片１０にパネル支持ブラケット８ｂがネジ止め固定される。また、パネル支持ブラケット８ｂは、内外方向に延びる被取付片１１と、被取付片１１の外側に左右に延びる被係止片１２とからなっており、被取付片１１は、支柱側ブラケット８ａの突出片１０にネジ止め固定される。さらに、被係止片１２の外側面の両側には、ガラスパネル部４の竪枠２０に設けてある側部係止片３２を係止する竪枠側被係止部１３，１３がそれぞれ設けてある。
【００１２】
笠木２は、図１のように、縦断面が横長ほぼ矩形状をなす中空押出部材であり、その外側端部の下部には、外側見付面１ａをほぼ開放した状態の上枠受入空間部３５を有しており、その上枠受入空間部３５は、笠木２の長手方向に沿って連続して設けてある。また、笠木２の内側下部には、凹溝３７が設けてあり、この凹溝３７には、支柱１上端部に固定してある目板６が嵌り、笠木２を載置したときに、笠木２が位置決めされてネジ止めが容易となる。
【００１３】
載置部３は、図１のように、支柱１の外側見付面１ａからほぼ水平に突出した下枠受片１４と、下枠受片１４の上側に平行して突出する下枠被係止片１５と、下枠受片１４と下枠被係止片１５を上下につなぐ支柱取付片１６とからなっており、その支柱取付片１６を支柱１の外側見付面１ａに当接してネジで取り付けることで、載置部３を固定している。また、下枠被係止片１５は、その外側先端部にガラスパネル部４の下枠１９の下側係止片２６を係止するものである。さらに、下枠受片１４は、下枠被係止片１５よりも外側に長く突出しており、これにより、外側見付面１ａと上方が開放した下枠受入空間部３６が設けられている。
【００１４】
ガラスパネル部４は、図１及び図２（ａ）（ｂ）のように、ガラス板１７と、ガラス板１７の上端部に取り付ける上枠１８と、ガラス板１７の下端部に取り付ける下枠１９と、ガラス板１７の左右端部に取り付ける竪枠２０とから構成するものである。具体的に、本実施によるガラスパネル部４は、ＳＳＧ（ストラクチュラル・シーラント・グレーシング）と称される、ガラスパネル部４を屋外側から見たときに、ガラス板１７の四周を囲む枠材やそれを支持する支持金具類などがガラス板１７の屋外側面に設けられない構造をなすものである。そして、図１のように、上枠１８は、ガラス板１７の上側端面に対面する見込片２１と、この見込片２１の内側端部から下方向に延びてガラス板１７の内側面と対面する見付片２２とからほぼＬ字状をなしており、ガラス板１７の上側端部内側のコーナー部ＲをほぼＬ字状に囲むものである。同様に、下枠１９についても、ガラス板１７の下側端面に対面する見込片２３と、この見込片２３の内側端部から上方向に延びてガラス板１７の内側面と対面する見付片２４とからほぼＬ字状をなしており、ガラス板１７の下側端部内側のコーナー部ＲをほぼＬ字状に囲むものである。さらに、上枠１８と下枠１９のそれぞれの見付片２２，２４の内側には、上側係止片２５と下側係止片２６がそれぞれ設けてある。さらに、左右の竪枠２０，２０も同様に、図２（ｂ）を参照すれば、ガラス板１７の両側端面に対面する見込片３１と、この見込片３１の内側端部から左右いずれかの方向に延びてガラス板１７の内側面と対面する見付片３０とから、ほぼＬ字状をなしており、このことから、ガラス板１７の四周のすべてを見付片２２，２４，３０と見込片２１，２３，３１と各係止片（上側係止片２５、下側係止片２６、側部係止片３２）とからなる枠材で枠組みするものである。また、上枠１８と下枠１９と左右の竪枠２０のそれぞれの見付片２２，２４，３０とガラス板１７の内側面との間には、サーマルボンド部３３と構造シール部３４が介在している。そのうちサーマルボンド部３３は、低融点繊維を熱で溶かして繊維同士を溶着することでシート状に成形したものであり、また、構造シール部３４は、シリコンを素材として弾性を有するものであり、耐候性や耐熱性、接着性などに優れたものである。そして、上記サーマルボンド部３３と構造シール部３４がガラス板１７の内側面と上枠１８と下枠１９と左右竪枠２０，２０のそれぞれの見付片２２，２４，３０との間に介在することで、外側にガラス板１７を支持する手段を設けなくても十分な耐風圧性能を発揮できる構成となっている。また、本実施による手摺では、図３（ａ）（ｂ）のように、上枠１８と下枠１９と左右の竪枠２０，２０のそれぞれの見込片２１，２３，３１がガラス板１７の四周側端面に当接していることで、ガラス板１７の内側から構造シール部３４を当接するのみの一般的なＳＳＧガラスパネルよりも耐久性の高い構造となる。
【００１５】
次に、本手摺の施工手順を以下に説明する。
図４（ａ）にように、第１の手順として、バルコニーの足場Ｇ上面に支柱１を起立し、支柱１の上端部に目板６をネジ止めし、さらに、支柱１の外側見付面１ａの下部に載置部３をネジで固定する。
第２の手順として、図４（ｂ）のように、ガラスパネル部４の上枠１８の上側係止片２５を目板６の被係止部７に、また、下枠１９の下側係止片２６を載置部３の下枠被係止片１５に、さらに、左右の竪枠２０，２０の側部係止片３２をパネル支持ブラケット８ｂの竪枠側被係止部１３に、それぞれ係止してガラスパネル部４を係止し、さらに、落とし込むことにより、図４（ｃ）のように、ガラスパネル部４の下枠１９が載置部３の下枠受入空間部３６に入ると共に、ガラスパネル部４が載置部３の上に乗った状態で支持される。
第３の手順として、図４（ｄ）のように、笠木２を目板６の上に載置し、笠木２の上枠受入空間部３５にガラスパネル部４の上枠１８が呑み込まれるように位置をあわせ、さらに、笠木２と目板６をネジ止めすることにより、図４（ｅ）のように、本実施による手摺が完成する。
【００１６】
本発明の手摺の他の実施形態として、図５（ａ）（ｂ）のように、上枠１８と下枠１９のみが見付片２２，２４と見込片２１，２３とからなるＬ字状の枠材を適用し、ガラス板１７と上枠１８および下枠１９の間に構造シール部３４（図２（ｂ）参照）を介在しており、左右の竪枠４０，４０には、構造シール部３４を介在しない一般的な枠材を適用したものである。このように形成したときには、図５（ａ）のように、笠木２や載置部３の外側見付面１ａが視覚的にほとんど見えなくなってガラス板１７の上下方向が連続した外観意匠となるので、既設の支柱１にガラスパネル部４を設置する場合や、あるいは、バルコニーの足場Ｇのスペースに制限がある場合であっても、一定の耐風圧性能を保持しつつ好適な外観意匠を呈する手摺が提供できる。また、本発明の手摺の笠木２や載置部３の形状は、ガラスパネル部４を支柱１に取り付けたときに、手摺を外側から眺めたときに外側見付面１ａが見えなくなるものであれば特に限定するものではない。また、上枠１８と下枠１９と竪枠２０は、ガラス板１７の四周側端部から内側端面までのコーナー部ＲをほぼＬ字状に囲む構成部分を有していれば、パネル側支持ブラケット８ｂや支柱側ブラケット８ａと一体の構造をなすものであってもよい。
【符号の説明】
【００１７】
１  支柱
１ａ  外側見付面
２  笠木
３  載置部
４  ガラスパネル部
８ａ  支柱側ブラケット（ブラケット）
８ｂ  パネル支持ブラケット（ブラケット）
１７  ガラス板
１８  上枠
１９  下枠
２０，４０  竪枠
２１，２３，３１  見込片
２２，２４，３０  見付片
３４  構造シール部
Ｒ  コーナー部
【図１】
0005736279.tif 000002
【図２】
0005736279.tif 000003
【図３】
0005736279.tif 000004
【図４】
0005736279.tif 000005
【図５】
0005736279.tif 000006